(57)【要約】      （修正有）【課題】縁起担ぎや厄除け等のために盛り塩を簡易かつ迅速に成形することができ、盛り塩を交換するたびに成形作業をする必要のない塩の包装体と製造方法を提供する。【解決手段】塩の包装体は、錐形の収容空間を有し、当該収容空間の底面が開口面１１１となった容器本体１１と、開口面１１１を塞ぐように容器本体に取り付けられる容器蓋体１２と、容器本体１１に収容される盛り塩用の塩Ｓと、塩と容器蓋体との間に配置され、塩に接する接触面１３１を有する押圧部材１３と、を備える。容器蓋体を容器本体に取り付けた状態において、押圧部材の接触面が容器本体の開口面よりも容器本体の内側方向に位置する。また、包装体の製造方法は、容器本体に塩を充填し、接触面を有する押圧部材を、接触面が塩に接するように、容器本体に充填した塩の上に載せ、押圧部材を容器本体の内側方向に押し込みながら、容器蓋体を容器本体に取り付ける。【選択図】図３
2020081406.tif 000002
【特許請求の範囲】
【請求項１】
錐形の収容空間を有し、該収容空間の底面が開口面となった容器本体と、
前記開口面を塞ぐように前記容器本体に取り付けられる容器蓋体と、
前記容器本体に収容される盛り塩用の塩と、
前記塩と前記容器蓋体との間に配置され、前記塩に接する接触面を有する押圧部材と、を備え、
前記容器蓋体を前記容器本体に取り付けた状態において、前記押圧部材の前記接触面が前記容器本体の前記開口面よりも前記容器本体の内側方向に位置することを特徴とする、塩の包装体。
【請求項２】
錐形の収容空間を有し、該収容空間の底面が開口面となった容器本体と、
前記開口面を塞ぐように前記容器本体に取り付けられる容器蓋体と、
前記容器本体に収容される盛り塩用の塩と、を備え、
前記容器蓋体が、前記容器本体への取り付け方向に張り出した押圧部を有し、
前記押圧部が、前記塩に接する接触面を有し、
前記容器蓋体を前記容器本体に取り付けた状態において、前記押圧部の前記接触面が前記容器本体の前記開口面よりも前記容器本体の内側方向に位置することを特徴とする、塩の包装体。
【請求項３】
前記容器本体には、前記開口面を取り囲む周端部が形成されており、
前記容器蓋体が前記周端部に封着されることによって、前記容器蓋体が前記容器本体に取り付けられることを特徴とする、請求項１又は２に記載の塩の包装体。
【請求項４】
前記容器蓋体が、内周面に雌ネジ部が形成された蓋側円筒部を有し、
前記容器本体が、外周面に雄ネジ部が形成された本体側円筒部を有し、
前記容器蓋体に形成された前記雌ネジ部が、前記容器本体に形成された前記雄ネジ部に螺合することによって、前記容器蓋体が前記容器本体に取り付けられることを特徴とする、請求項１又は２に記載の塩の包装体。
【請求項５】
前記容器本体には、前記開口面を取り囲む周端部が形成されており、
前記容器蓋体には、前記容器本体への取り付け方向に向かってリング状の係合溝が形成されており、
前記周端部が前記係合溝に係合することによって、前記容器蓋体が前記容器本体に取り付けられることを特徴とする、請求項１又は２に記載の塩の包装体。
【請求項６】
錐形の収容空間を有し、該収容空間の底面が開口面となった容器本体と、前記開口面を塞ぐように前記容器本体に取り付けられる容器蓋体と、前記容器本体に収容される盛り塩用の塩とを備えた塩の包装体の製造方法であって、
前記容器本体に前記塩を充填し、
接触面を有する押圧部材を、前記接触面が前記塩に接するように、前記容器本体に充填した前記塩の上に載せ、
前記押圧部材を前記容器本体の内側方向に押し込みながら、前記容器蓋体を前記容器本体に取り付けることを特徴とする、塩の包装体の製造方法。
【請求項７】
錐形の収容空間を有し、該収容空間の底面が開口面となった容器本体と、前記開口面を塞ぐように前記容器本体に取り付けられる容器蓋体であって、前記容器本体への取り付け方向に張り出した押圧部を有する容器蓋体と、前記容器本体に収容される盛り塩用の塩とを備えた塩の包装体の製造方法であって、
前記容器本体に前記塩を充填し、
前記押圧部が前記塩に接するように、前記容器蓋体を前記容器本体に充填した前記塩の上に載せ、
前記押圧部を前記容器本体の内側方向に押し込みながら、前記容器蓋体を前記容器本体に取り付けることを特徴とする、塩の包装体の製造方法。
【発明の詳細な説明】
【技術分野】
【０００１】
本発明は、盛り塩用の塩を容器に収容した塩の包装体とその製造方法に関する。
【背景技術】
【０００２】
盛り塩は、縁起担ぎや厄除け等のために、塩を角錐状あるいは円錐状に盛り、一般家庭や事務所の玄関先や店先、神棚、あるいは神社等に置かれるものである。一般に盛り塩は、塩を皿に盛ってから人の手で形を整えるか、特許文献１に開示されているような成形器に塩を入れ、ヘラで押し固めながら成形される。
【先行技術文献】
【特許文献】
【０００３】
【特許文献１】実登第３０８２３３２号公報
【発明の概要】
【発明が解決しようとする課題】
【０００４】
しかしながら、塩を手で錐形に成形する場合、見栄え良く一定形状に成形することが難しく、慣れるまでは成形に時間も要する。また手が汚れてしまうこともあって、だんだんと盛り塩を交換することが面倒になってしまうという問題があった。成形器を用いることによって、見栄え良く一定形状に成形することは可能となるが、盛り塩を交換するたびに作業を行う必要があることは変わらず、作業時に手に塩が付着したり、周りに塩が散乱したりすることもある。加えて、盛り塩に使う袋入りの塩は、一度開封してしまうと湿気で固まりやすく、管理が面倒であるという問題もある。
【０００５】
本発明は、このような点に鑑みてなされたものであり、盛り塩を簡易かつ迅速に成形することができ、盛り塩を交換するたびに成形作業をする必要のない、塩の包装体を提供することを目的とする。また、本発明は、盛り塩を簡易かつ迅速に成形することができ、盛り塩を交換するたびに成形作業をする必要のない塩の包装体が製造できる、塩の包装体の製造方法を提供することを目的とする。
【課題を解決するための手段】
【０００６】
上記目的を達成するため、本発明は、第一に、錐形の収容空間を有し、該収容空間の底面が開口面となった容器本体と、前記開口面を塞ぐように前記容器本体に取り付けられる容器蓋体と、前記容器本体に収容される盛り塩用の塩と、前記塩と前記容器蓋体との間に配置され、前記塩に接する接触面を有する押圧部材と、を備え、前記容器蓋体を前記容器本体に取り付けた状態において、前記押圧部材の前記接触面が前記容器本体の前記開口面よりも前記容器本体の内側方向に位置することを特徴とする、塩の包装体を提供する（発明１）。
【０００７】
かかる発明（発明１）によれば、押圧部材の接触面が開口面よりも容器本体の内側方向に位置するように容器蓋体を容器本体に取り付けることにより、容器本体に充填された塩が、押圧部材によって押し固められて容器本体に収容された状態となっている。そのため、塩の包装体から容器蓋体を取り外し、収容された塩を皿等に取り出すだけで、見栄え良く一定形状に成形された盛り塩を簡易かつ迅速に成形することができる。また、盛り塩を一回分ずつ個包装にすることにより、盛り塩を交換するたびに成形作業を行う必要がなく、作業時に手に塩が付着したり、周りに塩が散乱したりすることもない。さらに、大袋に入った塩を小分けにして使用するわけではないため、開封後に湿気を気にする必要もなくなる。
【０００８】
また本発明は、第二に、錐形の収容空間を有し、該収容空間の底面が開口面となった容器本体と、前記開口面を塞ぐように前記容器本体に取り付けられる容器蓋体と、前記容器本体に収容される盛り塩用の塩と、を備え、前記容器蓋体が、前記容器本体への取り付け方向に張り出した押圧部を有し、前記押圧部が、前記塩に接する接触面を有し、前記容器蓋体を前記容器本体に取り付けた状態において、前記押圧部の前記接触面が前記容器本体の前記開口面よりも前記容器本体の内側方向に位置することを特徴とする、塩の包装体を提供する（発明２）。
【０００９】
かかる発明（発明２）によれば、押圧部の接触面が開口面よりも容器本体の内側方向に位置するように容器蓋体を容器本体に取り付けることにより、容器本体に充填された塩が、押圧部によって押し固められて容器本体に収容された状態となっている。そのため、塩の包装体から容器蓋体を取り外し、収容された塩を皿等に取り出すだけで、見栄え良く一定形状に成形された盛り塩を簡易かつ迅速に成形することができる。また、盛り塩を一回分ずつ個包装にすることにより、盛り塩を交換するたびに成形作業を行う必要がなく、作業時に手に塩が付着したり、周りに塩が散乱したりすることもない。さらに、大袋に入った塩を小分けにして使用するわけではないため、開封後に湿気を気にする必要もなくなる。
【００１０】
上記発明（発明１，２）においては、前記容器本体には、前記開口面を取り囲む周端部が形成されており、前記容器蓋体が前記周端部に封着されることによって、前記容器蓋体が前記容器本体に取り付けられてもよい（発明３）。
【００１１】
また、上記発明（発明１，２）においては、前記容器蓋体が、内周面に雌ネジ部が形成された蓋側円筒部を有し、前記容器本体が、外周面に雄ネジ部が形成された本体側円筒部を有し、前記容器蓋体に形成された前記雌ネジ部が、前記容器本体に形成された前記雄ネジ部に螺合することによって、前記容器蓋体が前記容器本体に取り付けられてもよい（発明４）。
【００１２】
さらに、上記発明（発明１，２）においては、前記容器本体には、前記開口面を取り囲む周端部が形成されており、前記容器蓋体には、前記容器本体への取り付け方向に向かってリング状の係合溝が形成されており、前記周端部が前記係合溝に係合することによって、前記容器蓋体が前記容器本体に取り付けられてもよい（発明５）。
【００１３】
本発明は、第三に、錐形の収容空間を有し、該収容空間の底面が開口面となった容器本体と、前記開口面を塞ぐように前記容器本体に取り付けられる容器蓋体と、前記容器本体に収容される盛り塩用の塩とを備えた塩の包装体の製造方法であって、前記容器本体に前記塩を充填し、接触面を有する押圧部材を、前記接触面が前記塩に接するように、前記容器本体に充填した前記塩の上に載せ、前記押圧部材を前記容器本体の内側方向に押し込みながら、前記容器蓋体を前記容器本体に取り付けることを特徴とする、塩の包装体の製造方法を提供する（発明６）。
【００１４】
本発明は、第四に、錐形の収容空間を有し、該収容空間の底面が開口面となった容器本体と、前記開口面を塞ぐように前記容器本体に取り付けられる容器蓋体であって、前記容器本体への取り付け方向に張り出した押圧部を有する容器蓋体と、前記容器本体に収容される盛り塩用の塩とを備えた塩の包装体の製造方法であって、前記容器本体に前記塩を充填し、前記押圧部が前記塩に接するように、前記容器蓋体を前記容器本体に充填した前記塩の上に載せ、前記押圧部を前記容器本体の内側方向に押し込みながら、前記容器蓋体を前記容器本体に取り付けることを特徴とする、塩の包装体の製造方法を提供する（発明７）。
【発明の効果】
【００１５】
本発明の塩の包装体によれば、盛り塩を簡易かつ迅速に成形することができ、盛り塩を交換するたびに成形作業をする必要もない。また、本発明の塩の包装体の製造方法によれば、盛り塩を簡易かつ迅速に成形することができ、盛り塩を交換するたびに成形作業をする必要のない塩の包装体が製造できる。
【図面の簡単な説明】
【００１６】
【図１】本発明の第１実施形態に係る塩の包装体の全体概要図である。
【図２】同第１実施形態に係る塩の包装体の構造を示す断面説明図である。
【図３】同第１実施形態に係る塩の包装体の構造を示す分解説明図である。
【図４】同第１実施形態に係る塩の包装体の製造工程を示す説明図である。
【図５】本発明の第２実施形態に係る塩の包装体の全体概要図である。
【図６】同第２実施形態に係る塩の包装体の構造を示す分解説明図である。
【図７】同第２実施形態に係る塩の包装体の構造を示す分解断面説明図である。
【図８】本発明の第３実施形態に係る塩の包装体の全体概要図である。
【図９】同第３実施形態に係る塩の包装体の構造を示す断面説明図である。
【発明を実施するための形態】
【００１７】
［第１実施形態］
まず、本発明の第１実施形態を図面に基づいて説明する。図１は第１実施形態に係る塩の包装体１の全体概要図であり、図２は塩の包装体１の構造を示す断面説明図であり、図３は塩の包装体１の構造を示す分解説明図である。
【００１８】
本実施形態に係る塩の包装体１は、図１に示すように、全体が略円錐形状を有しており、図２に示すように、容器本体１１と容器蓋体１２とによって構成される容器の内部に、盛り塩用の塩Ｓと、押圧部材１３とが収容されたものである。
【００１９】
容器本体１１は、図２及び図３に示すように、外形が略円錐形状を有し、内部にも略円錐形状の収容空間を有している。収容空間の底面、すなわち容器本体１１の上端面には開口面１１１が設けられており、製造時にはその開口面１１１から収容される盛り塩用の塩Ｓが容器本体１１へと充填され、使用時には押し固められた盛り塩用の塩Ｓをそのまま容器本体１１から取り出すことが可能になっている。
【００２０】
本実施形態の容器本体１１は、例えばポリプロピレン（ＰＰ）、ポリエチレンテレフタラート（ＰＥＴ）等の樹脂製であるが、木材や陶器、紙等の材料から製造されたものでもよい。また、容器本体１１の収容空間は、盛り塩の型枠として適切な錐形であれば円錐形状である必要はなく、例えば三角錐や四角錐、五角錐、八角錐等の角錐形状であってもよい。さらに、容器本体１１は、収容空間の形状に合わせた錐形の外形形状を有している必要はなく、錐形の収容空間を有し、当該収容空間の底面が開口面となっていれば、円柱状、角柱状、あるいは何らかの物（例えば人形や動物等）を模した形状等、どのような外形形状を有していてもよい。
【００２１】
容器本体１１には、図２及び図３に示すように、開口面１１１を取り囲む周端部１１２が設けられており、本実施形態では、開口面１１１の周囲から外側に向かってつば状の周端部１１２が延設されている。周端部１１２には後述する容器蓋体１２が封着され、これによって容器蓋体１２が容器本体１１に取り付けられる。容器本体１１の形状によって周端部１１２の設け方は異なってもよく、例えば容器本体１１が円柱状であり、収容空間が容器本体１１の一方の底面に開口面１１１を有するように円錐形状に形成されている場合、開口面１１１を底面全体に設けずに底面の中心付近にのみ設け、当該底面の開口面の周囲に残った部分を周端部１１２としてもよい。
【００２２】
容器蓋体１２は、容器本体１１の開口面１１１を塞ぐように容器本体１１に取り付けられるものであり、図２及び図３に示すように、平面視略正円形状のシート状部材である。容器蓋体１２には、その周縁部の一箇所に外側に向かって突出したつまみ部１２１が形成されている。本実施形態の容器蓋体１２は、例えばポリプロピレン（ＰＰ）、ポリエチレンテレフタラート（ＰＥＴ）、ポリ塩化ビニル（ＰＶＣ）等の樹脂製や、アルミ等の金属製、あるいはそれらの積層フィルム材製等であってよいが、容器本体１１の収容空間への湿気の侵入を防ぐ性質を有することが好ましい。
【００２３】
押圧部材１３は、図２及び図３に示すように、扁平な円錐台形状を有し、容器本体１１に収容される塩Ｓと容器蓋体１２との間に配置された状態で、容器本体１１と容器蓋体１２とによって構成される容器の内部に収容される。収容された状態において、押圧部材１３の径大側底面１３１は容器蓋体１２に当接し、径小側底面１３２は塩Ｓに当接する接触面１３２となる。押圧部材１３の径大側底面１３１は容器本体１１の開口面１１１よりも僅かに小さくなっており、押圧部材１３の周面の傾斜度合いは容器本体１１の周面の傾斜度合いと略一致している。
【００２４】
押圧部材１３の形状は塩Ｓに当接する接触面１３２を有する形状であれば円錐台形状に限られるものではなく、さらには接触面１３２が平面でなく曲面や凹凸のある面であってもよい。例えば押圧部材１３を半球形状とし、円形の底面を容器蓋体１２に当接させ、曲面を塩Ｓに当接する接触面１３２として、塩Ｓと容器蓋体１２との間に配置してもよい。
【００２５】
本実施形態の押圧部材１３は、容器蓋体１２によって容器本体１１の内部に押し込まれて塩Ｓを押し固める程度の硬さを有するものであり、例えばポリプロピレン（ＰＰ）、ポリエチレンテレフタラート（ＰＥＴ）等の樹脂製や、アルミ等の金属製、ゴム、木材、陶器、紙等その他の材質製であってよいが、塩の包装体１の重量を抑えるために比較的軽量な樹脂製であることが好ましい。また、本実施形態では押圧部材１３が容器蓋体１２とは別部材となっているが、例えば押圧部材１３の径大側底面１３１を周知の接着技術で容器蓋体１２に接着して容器蓋体１２と押圧部材１３とを一部材として構成してもよいし、押圧部材１３を容器蓋体１２と同じ材質で一体成形し、容器本体１１への取り付け方向に張り出した押圧部を有する容器蓋体１２として構成してもよい。
【００２６】
容器本体１１に収容される塩Ｓは、例えば海水から製造された天然粗塩等、押し固めたときにある程度形状を維持できる盛り塩用の塩である。盛り塩に適用できる塩であれば、岩塩や化学的に精製された塩、添加物が添加された塩であってもよいし、塩の粒径や色等によって限定されることもない。
【００２７】
本実施形態においては、図３及び図４に示すように、容器蓋体１２を容器本体１１に取り付けた状態において、押圧部材１３の接触面１３２が容器本体１１の開口面１１１よりも容器本体１１の内側方向に位置している。
【００２８】
上述の本実施形態の塩の包装体１の製造工程を、図４を参照しながら説明する。まず、図４（ａ）及び（ｂ）に示すように、容器本体１１に塩Ｓを充填する。このとき、塩Ｓを容器本体１１の開口面１１１まで充填し、あとで押圧部材１３が容器本体１１に押し込まれたときに塩Ｓが容器本体１１の収容空間の形状に合わせて押し固められ、容器本体１１の収容空間が盛り塩の型枠として機能するようにする。容器本体１１に充填される塩Ｓの量は、塩Ｓの種類や押圧部材１３の大きさ等によって適宜調整される。
【００２９】
続いて、図４（ｂ）に示すように、接触面１３２を有する押圧部材１３を、接触面１３２が塩Ｓに接するように、容器本体１１に充填した塩Ｓの上に載せ、図４（ｃ）及び（ｄ）に示すように、押圧部材１３を容器本体１１の内側方向に押し込みながら、容器蓋体１２を容器本体１１に取り付ける。容器蓋体１２の容器本体１１への取り付けは、容器本体１１の周端部１１２に容器蓋体１２を、接着剤を用いた接着や熱圧着等、周知の封着技術を用いて封着させることによって行う。外側に向かって突出している容器蓋体１２のつまみ部１２１は、容器本体１１の周端部１１２に封着されない。
【００３０】
本実施形態の塩の包装体１を使用するときは、容器蓋体１２のつまみ部１２１をつまんで容器蓋体１２を容器本体１１から引き剥がし、押圧部材１３を容器本体１１から取り出す。そして、容器本体１１の収容空間で押し固められ、盛り塩に適した形状に整形された塩Ｓを容器本体１１から取り出し、別途用意された陶器製等の皿に載せる。
【００３１】
本実施形態の塩の包装体１は、図２及び図４に示すように、押圧部材１３の接触面１３２が開口面１１１よりも容器本体１１の内側方向に位置するように容器蓋体１２を容器本体１１に取り付けられていることにより、容器本体１１に充填された塩Ｓが、押圧部材１３によって押し固められて容器本体１１に収容された状態となっている。そのため、塩の包装体１から容器蓋体１２を取り外し、収容された塩Ｓを皿等に取り出すだけで、見栄え良く一定形状に成形された盛り塩を簡易かつ迅速に成形することができる。また、盛り塩を一回分ずつ個包装にすることにより、盛り塩を交換するたびに成形作業を行う必要がなく、作業時に手に塩が付着したり、周りに塩が散乱したりすることもない。さらに、大袋に入った塩を小分けにして使用するわけではないため、開封後に湿気を気にする必要もなくなる。
【００３２】
［第２実施形態］
続いて、本発明の第２実施形態を図面に基づいて説明する。図５は第２実施形態に係る塩の包装体２の全体概要図であり、図６は塩の包装体２の構造を示す断面説明図であり、図７は塩の包装体２の構造を示す分解断面説明図である。
【００３３】
本実施形態に係る塩の包装体２は、図５に示すように、全体が略円錐形状を有しており、図６に示すように、容器本体２１と容器蓋体２２とによって構成される容器の内部に、盛り塩用の塩Ｓと、押圧部材２３とが収容されたものである。第２実施形態の塩の包装体２は、第１実施形態の塩の包装体１とは異なる方式で、容器蓋体２２が容器本体２１に取り付けられるものであり、第１実施形態と共通する構成についてはその説明を省略する。
【００３４】
容器本体２１は、図６及び図７に示すように、外形が円錐と円筒とを組み合わせた形状を有し、具体的には円錐の底部側に円筒が連結された形状を有している。容器本体２１は、その内部に外形同様に円錐と円筒とを組み合わせた形状の収容空間を有し、収容空間の底面側には外周面に雄ネジ部２１３が形成された円筒形状の本体側円筒部２１２が形成されており、当該本体側円筒部２１２の上端面には開口面２１１が設けられている。製造時にはその開口面２１１から収容される盛り塩用の塩Ｓが容器本体２１へと充填され、使用時には押し固められた盛り塩用の塩Ｓをそのまま容器本体２１から取り出すことが可能になっている。
【００３５】
容器蓋体２２は、容器本体２１の開口面２１１を塞ぐように容器本体２１に取り付けられるものであり、図６及び図７に示すように、有底円筒形状のボトルキャップ状部材である。容器蓋体２２には、内周面に雌ネジ部が形成された蓋側円筒部２２１が形成されている。本実施形態の容器蓋体２２は、例えばポリプロピレン（ＰＰ）、ポリエチレンテレフタラート（ＰＥＴ）等の樹脂製であってよいが、容器本体２１の収容空間への湿気の侵入を防ぐ性質を有することが好ましい。
【００３６】
容器蓋体２２の内側には扁平な円柱形状の押圧部材２３が取り付けられており、押圧部材２３は、容器本体２１に収容される塩Ｓと容器蓋体２２との間に配置された状態で、容器本体２１と容器蓋体２２とによって構成される容器の内部に収容される。収容された状態において、押圧部材２３の一方の底面２３１が容器蓋体２２に取り付けられており、もう一方の底面２３２は塩Ｓに当接する接触面２３２となる。押圧部材２３の外形は、容器本体２１の開口面２１１よりも僅かに小さくなっており、ちょうど容器本体２１の本体側円筒部２１２の内側に収まる形状になっている。押圧部材２３の形状はこの形状に限られず、塩Ｓに当接する接触面２３２を有する形状であれば他の形状でもよいことは第１実施形態と同様である。
【００３７】
本実施形態においては、図６に示すように、容器蓋体２２に形成された雌ネジ部２２２が、容器本体２１に形成された雄ネジ部２１３に螺合することによって、容器蓋体２２が容器本体２１に取り付けられる。容器蓋体２２を容器本体２１に取り付ける際には、容器蓋体２２が押圧部材２３を容器本体２１に充填された塩Ｓを押し込み、塩Ｓが容器本体２１の収容空間の形状に合わせて押し固められる。容器本体２１の内側方向に容器蓋体２２を容器本体２１に取り付けた状態において、押圧部材２３の接触面２３２が容器本体２１の開口面２１１よりも容器本体２１の内側方向に位置していることは第１実施形態と同様である。
【００３８】
［第３実施形態］
続いて、本発明の第３実施形態を図面に基づいて説明する。図８は第３実施形態に係る塩の包装体３の全体概要図であり、図９は塩の包装体３の構造を示す分解断面説明図である。
【００３９】
本実施形態に係る塩の包装体３は、図８に示すように、全体が略円柱形状を有しており、容器本体３１と容器蓋体３２とによって構成される容器の内部に、盛り塩用の塩Ｓが収容されたものである。第３実施形態の塩の包装体３は、第１実施形態の塩の包装体１や第２実施形態の塩の包装体２とは異なる方式で、容器蓋体３２が容器本体３１に取り付けられるものであり、かつ容器蓋体３２の一部が押圧部３２１となっているため、第１実施形態の塩の包装体１や第２実施形態の塩の包装体２のような押圧部材は容器内部に収容されていない。第１実施形態や第２実施形態と共通する構成についてはその説明を省略する。
【００４０】
容器本体３１は、外形が略円筒形状を有し、図９に示すように、内部には略円錐形状の収容空間３１１が形成されている。収容空間３１１の底面側には円筒形状の蓋体取付部３１２が形成されており、当該蓋体取付部３１２の上端面には開口面３１３が設けられている。製造時にはその開口面３１３から収容される盛り塩用の塩Ｓが容器本体３１へと充填され、使用時には押し固められた盛り塩用の塩Ｓをそのまま容器本体３１から取り出すことが可能になっている。また、容器本体３１には、開口面３１３を取り囲む周端部３１４が形成されている。本実施形態では、開口面３１３の周囲から外側に向かってつば状の周端部３１４が延設されている。
【００４１】
容器蓋体３２は、容器本体３１の開口面３１３を塞ぐように容器本体３１に取り付けられるものであり、図９に示すように、平面視略正円形状の底部３２１の周囲に容器本体への取り付け方向に向かってリング状の係合溝３２２が形成された形状を有している。係合溝３２２は、底部３２１から容器本体３１への取り付け方向と逆の方向に張り出した内側周壁部３２３と、内側周壁部３２３を取り囲むように容器本体３１への取り付け方向に張り出した外側周壁部３２４と、内側周壁部３２３と外側周壁部３２４とを連結する環状底部３２５とによって形成され、断面視コの字形状を有している。本実施形態の容器蓋体３２は、例えばポリプロピレン（ＰＰ）、ポリエチレンテレフタラート（ＰＥＴ）等の樹脂製であってよいが、容器本体３１の収容空間への湿気の侵入を防ぐ性質を有することが好ましい。
【００４２】
容器蓋体３２の底部３２１は、容器本体３１への取り付け方向に張り出した円筒形状の押圧部３２１として機能する。また、押圧部３２１の容器本体３１への取り付け方向の面は塩Ｓに当接する接触面３２１１となる。押圧部３２１は、容器本体３１の開口面３１３よりも僅かに小さくなっており、ちょうど容器本体３１の蓋体取付部３１２の内側に収まる形状になっている。押圧部３２１の形状はこの形状に限られず、塩Ｓに当接する接触面３２１１を有する形状であれば他の形状でもよいことは第１実施形態、第２実施形態と同様である。
【００４３】
本実施形態においては、容器本体３１の周端部３１４が容器蓋体３２の係合溝３２２に係合することによって、容器蓋体３２が容器本体３１に取り付けられる。容器蓋体３２を容器本体３１に取り付ける際には、容器蓋体３２の押圧部３２１が容器本体３１に充填された塩Ｓを押し込み、塩Ｓが容器本体３１の収容空間の形状に合わせて押し固められる。容器蓋体３２を容器本体３１に取り付けた状態において、押圧部３２１の接触面３２１１が容器本体３１の開口面３１３よりも容器本体３１の内側方向に位置していることは第１実施形態、第２実施形態と同様である。
【００４４】
以上、本発明に係る塩の包装体及びその製造方法について図面に基づいて説明してきたが、本発明は上記実施形態に限定されることはなく、種々の変更実施が可能である。
【符号の説明】
【００４５】
１、２、３  塩の包装体
１１、２１、３１  容器本体
１２、２２、３２  容器蓋体
１３、２３  押圧部材
【図１】
2020081406.tif 000003
【図２】
2020081406.tif 000004
【図３】
2020081406.tif 000005
【図４】
2020081406.tif 000006
【図５】
2020081406.tif 000007
【図６】
2020081406.tif 000008
【図７】
2020081406.tif 000009
【図８】
2020081406.tif 000010
【図９】
2020081406.tif 000011